(57)【要約】      （修正有）【課題】必要な強度を有し、構造の複雑化が抑制された支持脚を提供する。【解決手段】支持脚Ａを、天板等の載置面に添設される板状のベース部１と、このベース部の前端から連続し表示物に接着する接着面ｓを有しベース部に対して起立する板状の接着支持部２と、接着支持部の上端から連続し下端をベース部に接続する受付支持部３とを備えたものとし、受付支持部が、矩形板状をなす本体板と、この本体板の左右両端からそれぞれ連続して延びる板状の側板３２とを備え、本体板と側板との境界部分を折り曲げ線にして側板が本体板に対して折り曲げられている構成とした。【選択図】図１
0003185859.tif 000002
【実用新案登録請求の範囲】
【請求項１】
単一の紙製シートを折り曲げることにより形成され、表示物を立て掛けて支持するための支持脚であって、
天板等の載置面に添設される板状のベース部と、このベース部の前端から連続し前記表示物に接着する接着面を有し前記ベース部に対して起立する板状の接着支持部と、前記接着支持部の上端から連続し下端をベース部に接続する受付支持部とを備えてなり、
前記受付支持部が、矩形板状をなす本体板と、この本体板の左右両端からそれぞれ連続して延びる板状の側板とを備え、前記本体板と前記側板との境界部分を折り曲げ線にして前記側板が前記本体板に対して折り曲げられていることを特徴とする支持脚。
【請求項２】
前記ベース部が、ベース部本体と、このベース部本体の後端部近傍に配され上方に向かって起立する起立片とを備えてなり、
前記本体板が、下端部近傍にスリットを備えてなり、
前記起立片を前記スリットに挿入することにより、前記ベース部に対して前記受付支持部を位置決めしている請求項１記載の支持脚。
【請求項３】
前記起立片が、略矩形状をなし下端が前記ベース部本体に接続する基端幅広部と、この基端幅広部の上端に連続して形成され左右方向の幅寸法が前記基端幅広部の幅寸法よりも小さい値に設定された略矩形状をなす中間幅狭部と、この中間幅狭部の上端に連続して形成され左右方向の幅寸法が前記中間幅狭部の幅寸法よりも小さい値に設定された先端突出部とを備えている請求項２記載の支持脚。
【請求項４】
先端突出部が、半円状に形成されている請求項３記載の支持脚。
【請求項５】
前記接着支持部が、側面視において、前記ベース部本体に対して７５°〜７６°の角度で起立している請求項２、３又は４記載の支持脚。
【請求項６】
前記側板が、紐やフック等の引っ掛け具が挿通可能な貫通孔を備えている請求項１、２、３、４又は５記載の支持脚。
【請求項７】
前記接着支持部が、矩形板状の接着支持部本体と、この接着支持部本体の前面に貼り付けられた両面テープとを備えてなり、この両面テープの前面が前記接着面を構成している請求項１、２、３、４、５又は６記載の支持脚。
【考案の詳細な説明】
【技術分野】
【０００１】
本考案は、表示物を立て掛けて支持する紙製の支持脚に関する。
【背景技術】
【０００２】
従来から表示物を立て掛けて支持するための紙製の支持脚が知られている。  従来の支持脚は、表示物の側縁及び下縁部分を枠支持する保持枠を備えているものがほとんどである（例えば特許文献１参照）。そして、従来のこの種のものは、保持枠を有しているために多様な大きさの表示物を適切に支持することができず、柔軟性に欠けるものとなっていた。
【０００３】
また、従来から保持枠を備えていない支持脚も存在するが、従来のこの種の支持脚は、強度を確保するために構造が複雑化したものとなっており、使用者に必ずしも組み立て易いものとはなっておらず、使い勝手が悪く、外観上も複雑な印象を与えるものとなっていた。
【先行技術文献】
【特許文献】
【０００４】
【特許文献１】特開２００５−１６１６６２号公報
【考案の概要】
【考案が解決しようとする課題】
【０００５】
本考案は、このような課題に着目してなされたものであって、主たる目的は、必要な強度を有し、構造の複雑化が抑制された支持脚を提供することにある。
【課題を解決するための手段】
【０００６】
すなわち、本考案は、次の構成をなしている。
【０００７】
請求項１に記載の支持脚は、単一の紙製シートを折り曲げることにより形成され、表示物を立て掛けて支持するためのものであって、天板等の載置面に添設される板状のベース部と、このベース部の前端から連続し前記表示物に接着する接着面を有し前記ベース部に対して起立する板状の接着支持部と、前記接着支持部の上端から連続し下端をベース部に接続する受付支持部とを備えてなり、前記受付支持部が、矩形板状をなす本体板と、この本体板の左右両端からそれぞれ連続して延びる板状の側板とを備え、前記本体板と前記側板との境界部分を折り曲げ線にして前記側板が前記本体板に対して折り曲げられているものである。
【０００８】
ここで、「表示物」とは、見る者に対して、何らかの外観を視覚を通じて認識させるものであればよい。このような「表示物」としては、例えば、パネル、絵画、写真、広告（チラシやフライヤー等）、ポスター、ハガキ、パンフレット、冊子、書籍、カレンダー、書面、額縁等の平面的なものの他、ボックスや人形等の立体的なものも含まれる。
【０００９】
また、「載置面」とは、支持脚が載置される比較的水平な面であり、例えば、机、テーブル、棚、保管庫などの家具における天板の面や、床面などが該当する。
【００１０】
請求項２に記載の支持脚は、請求項１に係る構成において、前記ベース部が、ベース部本体と、このベース部本体の後端部近傍に配され上方に向かって起立する起立片とを備えてなり、前記本体板が、下端部近傍にスリットを備えてなり、前記起立片を前記スリットに挿入することにより、前記ベース部に対して前記受付支持部を位置決めしているものである。
【００１１】
請求項３に記載の支持脚は、請求項２に係る構成において、前記起立片が、略矩形状をなし下端が前記ベース部本体に接続する基端幅広部と、この基端幅広部の上端に連続して形成され左右方向の幅寸法が前記基端幅広部の幅寸法よりも小さい値に設定された略矩形状をなす中間幅狭部と、この中間幅狭部の上端に連続して形成され左右方向の幅寸法が前記中間幅狭部の幅寸法よりも小さい値に設定された先端突出部とを備えているものである。
【００１２】
請求項４に記載の支持脚は、請求項３に係る構成において、先端突出部が、半円状に形成されているものである。
【００１３】
請求項５に記載の支持脚は、請求項２、３又は４に係る構成において、前記接着支持部が、側面視において、前記ベース部本体に対して７５°〜７６°の角度で起立しているものである。
【００１４】
請求項６に記載の支持脚は、請求項１、２、３、４又は５に係る構成において、前記側板が、紐やフック等の引っ掛け具が挿通可能な貫通孔を備えているものである。
【００１５】
請求項７に記載の支持脚は、請求項１、２、３、４、５又は６に係る構成において、前記接着支持部が、矩形板状の接着支持部本体と、この接着支持部本体の前面に貼り付けられた両面テープとを備えてなり、この両面テープの前面が前記接着面を構成しているものである。
【考案の効果】
【００１６】
以上説明したように本考案によれば、必要な強度を有し、構造の複雑化が抑制された支持脚を提供することができる。
【図面の簡単な説明】
【００１７】
【図１】本考案の一実施形態を示す斜視図。
【図２】同実施形態を示す側面図。
【図３】同実施形態を示す後方斜視図。
【図４】同実施形態を示す展開図。
【考案を実施するための形態】
【００１８】
以下、本考案の一実施形態を、図１〜４を参照して説明する。
【００１９】
この実施形態は、本考案を、平面的な表示物Ｄを立て掛けて支持するための支持脚Ａに適用したものである。この支持脚Ａは、単一の紙製シートＢ（図４を参照）を折り曲げることにより形成されたものである。
【００２０】
支持脚Ａは、天板や床面等の載置面Ｆに添設される板状のベース部１と、ベース部１の前端から連続し表示物Ｄの背面に接着する接着面ｓを有しベース部１に対して起立する板状の接着支持部２と、接着支持部２の上端から連続し下端をベース部１に接続する受付支持部３とを備えている。
【００２１】
以下、各構成部分について詳述する。
【００２２】
ベース部１は、載置面Ｆと略平行に対面する平面板状部分を主体に構成されたベース部本体１１と、ベース部本体１１の後端部近傍に配され上方に向かって起立する起立片１２とを備えている。
【００２３】
起立片１２は、ベース部１の一部分から切り起こされたものである。具体的には、起立片１２は、略矩形状をなし下端がベース部本体１１に接続する基端幅広部１２ａと、基端幅広部１２ａの上端に連続して形成され左右方向の幅寸法が基端幅広部１２ａの幅寸法よりも小さい値に設定された略矩形状をなす中間幅狭部１２ｂと、中間幅狭部１２ｂの上端に連続して形成され左右方向の幅寸法が中間幅狭部１２ｂの幅寸法よりも小さい値に設定された先端突出部１２ｃとを備えている。先端突出部１２ｃは、半円状に形成されている。
【００２４】
接着支持部２は、表示物Ｄの背面に接着して所定角度で当該表示物Ｄを保持するものである。図２に示すように、この実施形態では、接着支持部２は、側面視において、ベース部本体１１に対して７５°〜７６°の角度で起立している。すなわち、ベース部本体１１に対して起立する接着支持部２の角度αは、７５°〜７６°に設定されている。
【００２５】
接着支持部２は、矩形板状の接着支持部本体２１と、接着支持部本体２１の前面に貼り付けられた両面テープ２２とを備えている。両面テープ２２は、表面及び裏面にそれぞれ粘着層を有する既知のものであり、この実施形態では、両面テープ２２の前面が、表示物Ｄの背面に接着する接着面ｓを構成している。なお、両面テープ２２の接着面ｓはあらかじめ保護フィルム等（図示せず）により保護されており、使用時にその保護フィルム等を剥がして接着面ｓを表出できるものとなっている。
【００２６】
受付支持部３は、表示物Ｄの荷重を受け付けて支持するためのものである。受付支持部３は、矩形板状をなす本体板３１と、本体板３１の左右両端からそれぞれ連続して延びる板状の左右の側板３２とを備えている。そして、受付支持部３は、本体板３１と側板３２との境界部分を折り曲げ線ｆにして側板３２が本体板３１に対して折り曲げられている。より具体的には、側板３２は、本体板３１よりも前側に位置するように折り曲げられる。このようにすることで、側板３２がいわゆるリブとして機能し、本体板３１の厚み方向への変形が抑制されている。
【００２７】
本体板３１は、下端部近傍に凸形状をなすスリットｋを備えている。このスリットｋは、ベース部１の起立片１２を挿入させるためのもので、起立片１２をスリットｋに挿入することにより、ベース部１に対して受付支持部３を所定の箇所で位置決めできるようにしている。より詳しく言えば、図３に示すように、受付支持部３における本体板３１のスリットｋに、本体板３１の背面側から表面側に向かって起立片１２を挿入する。そうすると、本体板３１の下端は、ベース部本体１１に当接して下方への移動が阻止されるとともに起立片１２によって後方への移動が阻止されることになる。その結果、受付支持部３がベース部１に対して所定の箇所で位置決めされる。スリットｋの幅寸法は、起立片１２の中間幅狭部１２ｂが挿通することができるとともに基端幅広部１２ａが挿通することができない寸法に設定されている。
【００２８】
側板３２は、板状のものであり、上端縁は接着支持部２に干渉しないように形成されており、下端縁はベース部本体１１に干渉しないように形成されている。
【００２９】
なお、左右の側板３２には、貫通孔ｈが形成されている。この貫通孔ｈは、紐やフック等の引っ掛け具（図示せず）を挿通可能にしたものであり、この貫通孔ｈを利用して、壁面等に表示物Ｄを掛け留めることもできるようにしてある。この場合、受付支持部３の本体板３１に両面テープを貼り付け、表示物Ｄをその両面テープに接着すると、安定して表示物Ｄを掛け留める事ができる。
【００３０】
図４に示すように、用紙内における支持脚Ａを形成する部分（紙製シートＢ）は、所定の用紙サイズに効率的に収まるように寸法設定される。例えば、菊判サイズとして「菊４切」を採用する場合には、切除される不要部分が多く発生しないようにするため、ベース部１、接着支持部２、受付支持部３のそれぞれの上下寸法がバランスを失わない範囲でできるだけ菊４切内に大きく設定される。このようにすれば、従来必要とされていた用紙サイズよりも小さな用紙サイズを採用することが可能となるのみならず、不要部分の発生を極力少なくして廃棄コストの削減に寄与し、環境等にも配慮したものとなる。
【００３１】
このように、本実施形態に係る支持脚Ａは、単一の（一枚の）紙製シートＢを折り曲げることにより形成され、表示物Ｄを立て掛けて支持するためのものであり、天板等の載置面Ｆに添設される板状のベース部１と、ベース部１の前端から連続し表示物Ｄに接着する接着面ｓを有しベース部１に対して起立する板状の接着支持部２と、接着支持部２の上端から連続し下端をベース部１に接続する受付支持部３とを備えている。そして、受付支持部３が、矩形板状をなす本体板３１と、本体板３１の左右両端からそれぞれ連続して延びる板状の側板３２とを備え、本体板３１と側板３２との境界部分を折り曲げ線ｆにして側板３２が本体板３１に対して折り曲げられている。このため、表示物Ｄに接着した接着支持部２の荷重を、受付支持部３が好適に受け付けるものとなる。すなわち、受付支持部３は、下端がベース部１に接続する本体板３１とリブ機能を奏する側板３２とを備えたものとし、その他の不要な突出片等を設けていない極めて簡素な構造をなしているため、構造の複雑化が抑制されたものとなっているにも関わらず、必要な強度を奏するものとなっている。
【００３２】
ベース部１が、ベース部本体１１と、ベース部本体１１の後端部近傍に配され上方に向かって起立する起立片１２とを備えてなり、受付支持部３の本体板３１が、下端部近傍にスリットｋを備えてなり、起立片１２をスリットｋに挿入することにより、ベース部１に対して受付支持部３を位置決めしているものであるため、受付支持部３の位置が所期の位置で安定し、表示物Ｄを所定角度で好適に支持することができるものとなる。
【００３３】
起立片１２が、略矩形状をなし下端がベース部本体１１に接続する基端幅広部１２ａと、基端幅広部１２ａの上端に連続して形成され左右方向の幅寸法が基端幅広部１２ａの幅寸法よりも小さい値に設定された略矩形状をなす中間幅狭部１２ｂと、中間幅狭部１２ｂの上端に連続して形成され左右方向の幅寸法が中間幅狭部１２ｂの幅寸法よりも小さい値に設定された先端突出部１２ｃとを備えている。このため、起立片１２は、先細りの形状をなしており、スリットｋに対して挿通し易いものとなっている。
【００３４】
しかも、起立片１２の先端突出部１２ｃが、半円状に形成されているものであるため、スリットｋに対して起立片１２をスムーズに差し入れ易いものとなっている。
【００３５】
接着支持部２が、側面視において、ベース部本体１１に対して７５°〜７６°の角度で起立しているため、表示物Ｄを見る者に対して見易い角度で好適に支持できるものとなっている。
【００３６】
側板３２が、紐やフック等の引っ掛け具が挿通可能な貫通孔ｈを備えているものであるため、必要に応じて紐やフック等を利用することができるようになっている。例えば、貫通孔ｈに紐を通し、支持脚Ａを壁面等にぶら下げるという利用方法も考えられる。
【００３７】
接着支持部２が、矩形板状の接着支持部本体２１と、この接着支持部本体２１の前面に貼り付けられた両面テープ２２とを備えてなり、両面テープ２２の前面が接着面ｓを構成しているため、接着面ｓを容易に形成することができるものとなっている。
【００３８】
なお、本考案は、以上に詳述した実施形態に限られるものではない。
【００３９】
例えば、紙製シートは、種々のものを適用することができ、厚み寸法等は適宜設定されるものである。紙製シートは、ＰＰ加工を施したものであってもよい。
【００４０】
折り曲げ線の態様は種々のものを採用することができ、ミシン目やプレス等による折り癖であっても良いし、印刷のみによる折り曲げ部分の案内表示であっても良い。
【００４１】
また、ベース部における起立片の形状や、受付支持部における本体板のスリットの形状は、適宜の形状を採用することができるものであり、本実施形態に示されるものの他、種々のものが考えられるのはもちろんのことである。
【００４２】
その他、各部の具体的構成についても上記実施形態に限られるものではなく、本考案の趣旨を逸脱しない範囲で種々変形が可能である。
【符号の説明】
【００４３】
Ａ…支持脚
１…ベース部
２…接着支持部
３…受付支持部
Ｆ…載置面
Ｄ…表示物
【図１】
0003185859.tif 000003
【図２】
0003185859.tif 000004
【図３】
0003185859.tif 000005
【図４】
0003185859.tif 000006